(57)【特許請求の範囲】
【請求項１】
表示手段と、
前記表示手段に対するタッチ操作を検出可能なタッチ検出手段と、
前記表示手段とは異なる位置に配置され、ユーザの操作を受け付け可能な複数の操作受付手段と、
前記タッチ検出手段によって前記表示手段の表示面の第１の領域に対するタッチ操作が検出された場合、前記複数の操作受付手段のうち、前記第１の領域から最も近い位置に配置された操作受付手段に対する操作を無効にするように制御する制御手段と
を有することを特徴とする表示制御装置。
【請求項２】
前記制御手段は、前記タッチ検出手段によって前記表示手段の表示面のうち前記第１の領域とは異なる第２の領域に対するタッチ操作が検出された場合、前記複数の操作受付手段のうち、前記第１の領域に対応づけられた操作受付手段とは異なる、前記第２の領域に対応づけられた操作受付手段に対する操作を無効とするように制御することを特徴とする請求項１に記載の表示制御装置。
【請求項３】
前記第１の領域に対応づけられた操作受付手段は、前記複数の操作受付手段のうち、前記第１の領域に最も近い位置に配置された操作受付手段であり、前記第２の領域に対応づけられた操作受付手段は、前記複数の操作受付手段のうち、前記第２の領域に最も近い位置に配置された操作受付手段であることを特徴とする請求項２に記載の表示制御装置。
【請求項４】
前記第１の領域は、前記表示面の外周に沿う領域であることを特徴とする請求項１乃至３のいずれか１項に記載の表示制御装置。
【請求項５】
複数の動作モードのうち何れかの動作モードに設定する動作モード設定手段を更に有し、
前記制御手段は、前記動作モード設定手段で特定の動作モードに設定されている場合に前記第１の領域に対するタッチ操作に応じて前記第１の領域に対応づけられた操作受付手段に対する操作を無効にする制御を行い、前記特定の動作モードに設定されていない場合には前記第１の領域に対するタッチ操作があっても前記第１の領域に対応づけられた操作受付手段に対する操作を無効としないことを特徴とする請求項１乃至４の何れか１項に記載の表示制御装置。
【請求項６】
前記制御手段は、前記タッチ検出手段で特定のタッチ操作を検出した場合に前記第１の領域に対するタッチ操作に応じて前記第１の領域に対応づけられた操作受付手段に対する操作を無効にする制御を行い、前記特定のタッチ操作を検出していない場合には前記第１の領域に対するタッチ操作があっても前記第１の領域に対応づけられた操作受付手段に対する操作を無効としないことを特徴とする請求項１乃至５の何れか１項に記載の表示制御装置。
【請求項７】
前記特定のタッチ操作は、前記表示面の外周に沿って設定された領域に対するタッチ操作であることを特徴とする請求項６に記載の表示制御装置。
【請求項８】
前記特定のタッチ操作は、前記表示面において互いに隣接した複数の領域に対して同時にタッチされたことが検出されるタッチ操作であることを特徴とする請求項６又は７に記載の表示制御装置。
【請求項９】
前記特定のタッチ操作は、前記表示面において複数の領域に対して同時にタッチされたことが検出されるタッチ操作であることを特徴とする請求項６又は７に記載の表示制御装
置。
【請求項１０】
前記複数の操作受付手段は、複数の押し釦であることを特徴とする請求項１乃至９の何れか１項に記載の表示制御装置。
【請求項１１】
前記表示制御装置は、画像を撮像する撮像手段を更に有する撮像装置であることを特徴とする請求項１乃至１０の何れか１項に記載の表示制御装置。
【請求項１２】
接眼ファインダーを更に有することを特徴とする請求項１１に記載の表示制御装置。
【請求項１３】
表示手段と、前記表示手段に対するタッチ操作を検出可能なタッチ検出手段と、前記表示手段とは異なる位置に配置され、ユーザによって操作可能な複数の操作受付手段とを有する表示制御装置の制御方法であって、
前記タッチ検出手段によって前記表示手段の表示面の第１の領域に対するタッチ操作が検出されると、前記複数の操作受付手段のうち、前記第１の領域から最も近い位置に配置された操作受付手段に対する操作を無効にするステップを有することを特徴とする表示制御装置の制御方法。
【請求項１４】
コンピュータを、請求項１乃至１２のいずれか１項に記載された表示制御装置の各手段として機能させるプログラム。
【請求項１５】
コンピュータを、請求項１乃至１２のいずれか１項に記載された表示制御装置の各手段として機能させるプログラムを格納したコンピュータが読み取り可能な記録媒体。
【発明の詳細な説明】
【技術分野】
【０００１】
本発明は、タッチパネルを有する表示制御装置、その制御方法、およびプログラム、並びに記録媒体に関するものである。
【背景技術】
【０００２】
デジタルカメラ等の撮像装置では、カメラの背面に表示手段が設けられており、撮影前情報や撮影済み画像が表示される構成が一般的になっている。
【０００３】
近年、デジタルカメラの液晶モニタ等の表示手段は、表示画像を見やすくするために、より大きな表示画面を有するものが望まれている。しかしながら、限られたカメラの大きさの中で大画面の表示手段を搭載しようとすると、操作部材を配置する場所が確保できなくなるという問題がある。
【０００４】
上記問題の対応策として、表示手段の前面にタッチパネルを積層し、タッチパネルにより各種操作が可能なカメラが提案されている。さらに、カメラ等の小型の機器にタッチパネルを適用した場合の、タッチパネルの誤操作防止対策も種々提案されている。
【０００５】
例えば、特許文献１では、操作中に機器を保持している指がタッチパネルに当たり、操作者が意図しない機能が動作してしまうおそれがあることに対する対策として、以下の技術を提案している。
【０００６】
即ち、特許文献１では、操作者が不用意にタッチスクリーンに触れてしまいがちなタッチスクリーンの枠周辺部を入力無効領域とすることで、タッチスクリーンの誤操作を防止することを提案している。
【先行技術文献】
【特許文献】
【０００７】
【特許文献１】特開２０００−３９９６４号公報
【発明の開示】
【発明が解決しようとする課題】
【０００８】
しかしながら、タッチパネルの操作は、画面を確認しながら操作するため解かりやすい利点がある反面、操作画面が表示されていない場合は、まず、操作画面を呼び出す必要があるため、常時操作受付可能な釦操作と比較すると即時性に劣る。また、デジタル一眼レフカメラではファインダを覗いて撮影するのが一般的であるが、タッチパネルはファインダを覗いた状態では操作できないという問題がある。
【０００９】
そのため、デジタル一眼レフカメラにおいては、メニュー操作等の画面を確認しながら行う必要がある操作はタッチパネルで行うようにしても、画面の表示内容に関わらず常時設定する必要のある操作については、その操作釦を設ける必要がある。同様に、ファインダを覗きながら設定する必要のある操作についても、その操作釦を設ける必要がある。
【００１０】
また、限られたカメラの大きさの中で大型の表示手段と操作釦を配置すると、操作釦とグリップ保持部分が近接し、カメラのグリップ時に誤操作してしまう可能性が高くなる問題がある。
【００１１】
さらに、表示手段と操作部材も近接して配置されることとなるため、タッチパネルを操作する際に不意に操作釦を誤操作してしまう可能性も高くなる問題がある。
【００１２】
従って、このような大型の表示手段と操作部材が配置されたカメラにおいては、タッチパネルの誤操作だけでなく操作釦の誤操作に対する対策も必要となる。
【００１３】
よって、本発明の目的は、タッチパネルの誤操作と操作釦の誤操作を防止することができる表示制御装置、その制御方法、およびプログラム、並びに記録媒体を提供することにある。
【課題を解決するための手段】
【００１４】
上記目的を達成するために、本発明による表示制御装置は、表示手段と、前記表示手段に対するタッチ操作を検出可能なタッチ検出手段と、前記表示手段とは異なる位置に配置され、ユーザの操作を受け付け可能な複数の操作受付手段と、前記タッチ検出手段によって前記表示手段の表示面の第１の領域に対するタッチ操作が検出された場合、前記複数の操作受付手段のうち、前記第１の領域から最も近い位置に配置された操作受付手段に対する操作を無効にするように制御する制御手段とを有することを特徴とする。
【発明の効果】
【００１５】
本発明によれば、タッチパネルの誤操作と操作釦などの操作部材の誤操作を防止することができる。
【図面の簡単な説明】
【００１６】
【図１】本発明の実施の形態に係る撮像装置としてのデジタル一眼レフカメラの撮影レンズユニットを外した状態で前面側より見た斜視図である。
【図２】本発明の実施の形態に係る撮像装置としてのデジタル一眼レフカメラの上面図である。
【図３】本発明の実施の形態に係る撮像装置としてのデジタル一眼レフカメラの背面図である。
【図４】本発明の実施の形態に係る撮像装置としてのデジタル一眼レフカメラの電気的な構成を示すブロック図である。
【図５】図３におけるタッチパネルの検知領域を示す図である。
【図６】図３における液晶モニタの表示形態の例を示す図である。
【図７】図４の撮像装置によって実行されるＤＩＳＰ釦操作時の表示処理の手順を示すフローチャートである。
【図８】図４の撮像装置によって実行されるＭＥＮＵ釦操作時の表示処理の手順を示すフローチャートである。
【図９】図４の撮像装置によって実行される再生釦操作時の表示処理の手順を示すフローチャートである。
【図１０】図４の撮像装置によって実行されるタッチパネル操作時の処理（その１）の手順を示すフローチャートである。
【図１１】図４の撮像装置によって実行されるタッチパネル操作時の処理（その２）の手順を示すフローチャートである。
【図１２】図１１のステップＳ５０３で実行されるタッチパネル操作判別処理（その１）の手順を示すフローチャートである。
【図１３】図１１のステップＳ５０３で実行されるタッチパネル操作判別処理（その２）の手順を示すフローチャートである。
【図１４】図１１のステップＳ５０３で実行されるタッチパネル操作判別処理（その３）の手順を示すフローチャートである。
【図１５】図１１のステップＳ５０３で実行されるタッチパネル操作判別処理（その４）の手順を示すフローチャートである。
【発明を実施するための形態】
【００１７】
以下、本発明の実施の形態について図面を参照して詳細に説明する。
【００１８】
［第１の実施の形態］
図１は、本発明の実施の形態に係る撮像装置としてのデジタル一眼レフカメラの撮影レンズユニットを外した状態で前面側より見た斜視図である。図２は、本発明の実施の形態に係る撮像装置としてのデジタル一眼レフカメラの上面図である。図３は、本発明の実施の形態に係る撮像装置としてのデジタル一眼レフカメラの背面図である。
【００１９】
図１、図２、及び図３において、カメラ本体（装置本体）１００には、撮影時に使用者がカメラを安定して握り易いように前方に突出したグリップ部５０１が設けられている。レンズマウント３１０は、着脱可能なレンズ装置（撮影レンズユニット）３００（図４）をカメラ本体１００に固定させる。レンズマウント３１０の奥にはメインミラー１がある。
【００２０】
マウント接点３１１は、カメラ本体１００と撮影レンズユニットとの間で制御信号、状態信号、データ信号等を介在すると共に、撮影レンズユニット側に電力を供給する機能を有する。
【００２１】
レンズロック解除釦５０４は、撮影レンズユニットを取り外す際に押し込む。撮影レンズを通過した撮影光束はミラーボックス５０２へ導かれる。カメラ本体１００の上部（カメラ上部）のグリップ部５０１側には、撮影開始の起動スイッチとしてのシャッタ釦６２と、撮影時の動作モード（動作モード設定）に応じてシャッタスピードやレンズ絞り値を設定するための電子ダイヤル６５が配置されている。
【００２２】
シャッタ釦６２は、第１ストロークでＳＷ１（後述の６３）がオンし、第２ストロークにてＳＷ２（後述の６４）がオンする構成となっている。カメラ上部中央には、カメラ本体１００に対してポップアップするストロボユニット５００と、フラッシュ取付け用のアクセサリシュー４１０と、フラッシュ接点４１１があり、カメラ上部右よりにはモードダイヤル６０が配置されている。
【００２３】
グリップ部５０１に対して反対側の側面には、開閉可能な外部端子蓋５０６が設けられていて、この外部端子蓋５０６を開けた内部には、外部インタフェースとしてビデオ信号出力用ジャック（不図示）とＵＳＢ出力用コネクタ（不図示）が納められている。
【００２４】
カメラ背面（カメラ本体１００の背面）側には、上方にファインダ接眼窓（接眼ファインダー）５０９、液晶モニタ（表示部材）２８が設けられている。液晶モニタ２８の前面に積層して光透過性のタッチパネル３３が配置されている。
【００２５】
カメラ背面側に配置された設定釦として、液晶モニタの表示／非表示の切り替え等の操作を行うＤＩＳＰ釦６６、メニュー画面の呼び出し等の操作を行うＭＥＮＵ釦６７、撮影した画像の再生等の操作を行う再生釦６９がある。また、同様に設定釦として、撮影した画像の消去等の操作を行う消去釦７０、撮影した画像の印刷等の操作を行うイージーダイレクト釦７１、測距点選択釦７２、ＡＥロック釦７３、露出補正設定釦７４がある。電源スイッチ６１は、カメラの動作を起動もしくは停止するためのものである。
【００２６】
図４は、本発明の実施の形態に係る撮像装置としてのデジタル一眼レフカメラの電気的な構成を示すブロック図である。
【００２７】
図４において、メインミラー１は、ファインダ観察状態では撮影光路内に斜設され、撮影状態では撮影光路外に退避する。また、メインミラー１は、ハーフミラーとなっており、撮影光路内に斜設されているときは、後述する焦点検出光学系へ被写体からの光線の約半分を透過させる。ピント板２には、後述の撮影レンズ３０１で結像された被写体の光学像が投影される。
【００２８】
サブミラー３は、メインミラー１と共に、ファインダ観察状態では撮影光路内に斜設され、撮影状態では撮影光路外に退避する。このサブミラー３は、斜設されたメインミラー１を透過した光線を下方に折り曲げて、後述の焦点検出部８の方に導くものである。
【００２９】
ペンタプリズム４はファインダ光路を変更する。撮影者は、アイピース５からピント板２を観察することで、撮影画面を観察することができる。
【００３０】
測光レンズ６及び測光センサ７は、それぞれ、ファインダ観察画面内の被写体輝度を測定するためのものであり、測光センサ７は、内部に公知の対数圧縮回路を持っているので、その出力は対数圧縮されたものとなる。焦点検出部８は、公知の位相差方式のものである。
【００３１】
９はフォーカルプレーンシャッタ、１４はＣＣＤあるいはＣＭＯＳ等の撮像素子である。ミラー位置検出部１１は、フォトインタラプタやフォトリフレクタ、あるいはメカ的にオン／オフするＳＷ等で構成され、メインミラー１が動作状態の時に所定の位置にあることを検出する。
【００３２】
ディスプレイオフセンサ１０は、投光ＩＲＥＤ（不図示）と受光センサ（不図示）で構成されており、投光ＩＲＥＤから赤外光を投光し、顔面から反射した赤外光を受光センサで検知することにより、顔面の近接を検知可能なように構成されている。液晶モニタ２８に撮影前情報を表示中に、顔等の物体がファインダ接眼窓５０９に近接すると、ディスプレイオフセンサ１０によって、液晶モニタ２８の表示を消灯するように制御される。
【００３３】
Ａ／Ｄ変換器１６は、撮像素子１４のアナログ出力信号をデジタル信号に変換する。タイミング発生回路１８は、撮像素子１４、Ａ／Ｄ変換器１６、Ｄ／Ａ変換器２６にクロック信号や制御信号を供給する。
【００３４】
画像処理回路２０は、Ａ／Ｄ変換器１６からのデータあるいはメモリ制御回路２２からのデータに対して所定の画素補間処理や色変換処理を行う。画像処理回路２０は、撮像素子１４で撮像した画像データを用いて所定の演算処理を行い、得られた演算結果に基づいてＴＴＬ方式のＡＷＢ（オートホワイトバランス）処理も行っている。
【００３５】
メモリ制御回路２２は、Ａ／Ｄ変換器１６、タイミング発生回路１８、画像処理回路２０、画像表示メモリ２４、Ｄ／Ａ変換器２６、第１のメモリ３０、圧縮・伸長回路３２を制御する。Ａ／Ｄ変換器１６のデータが、画像処理回路２０、メモリ制御回路２２を介して、あるいはＡ／Ｄ変換器１６のデータが直接メモリ制御回路２２を介して、画像表示メモリ２４あるいは第１のメモリ３０に書き込まれる。
【００３６】
画像表示メモリ２４に書き込まれた表示用の画像データは、Ｄ／Ａ変換器２６を介してＴＦＴＬＣＤから成る液晶モニタ２８により表示される。タッチパネル３３の出力は、タッチパネルインタフェース（Ｉ／Ｆ）３４を介してシステムコントローラ５０に入力される。
【００３７】
第１のメモリ３０は、撮影した画像データを格納するためのものであり、所定枚数の静止画像データを格納するのに十分な記憶量を備えている。また、第１のメモリ３０は、システムコントローラ５０の作業領域としても使用することが可能である。
【００３８】
圧縮・伸長回路３２は、適応離散コサイン変換（ＡＤＣＴ）等により画像データを圧縮伸長するものでありであり、第１のメモリ３０に格納された画像データを読み込んで圧縮処理あるいは伸長処理を行い、処理を終えた画像データを第１のメモリ３０に書き込む。
【００３９】
アクセサリ着脱検知部３５は、アクセサリの着脱を検知する。シャッタ制御部（露光制御手段）４０は、フォーカルプレーンシャッタ９を制御する。ミラー制御部４１は、メインミラー１をアップ、ダウンさせるためのモータと駆動回路からなる。
【００４０】
システムコントローラ５０は、カメラ本体１００の全体を制御する。第２のメモリ５２は、システムコントローラ５０の動作用の定数、変数、プログラム等を記憶する。光学フィルタ４４は、水晶の複屈折板、位相板、赤外カットフィルタを積層して構成されている。
【００４１】
内蔵ストロボ（内蔵閃光装置）１２０は、カメラ本体１００に内蔵され、被写体に対して閃光を発する。内蔵ストロボ１２０は、Ｘｅ管１２１、反射笠１２２、Ｘｅ管１２１の発光を制御するＩＧＢＴ等で構成された発光制御回路１２３、Ｘｅ管１２１に給電する３００Ｖ程度の電圧を発生する充電回路１２４を備える。
【００４２】
ファインダ内表示部（表示部）５４は、システムコントローラ５０でのプログラムの実行に応じて、カメラの動作状態やメッセージ等を表示する液晶表示装置からなる。このファインダ内表示部５４は、ファインダを観察した際にピント板２の下部に見えるように構成されている。
【００４３】
ファインダ内表示部５４の表示内容としては、合焦表示、ＡＥロック／ＦＥロック表示、フラッシュ充電表示、赤目緩和設定表示、シャッタスピード表示、絞り値表示、露出レベル／露出補正表示、連続撮影可能枚数表示等がある。不揮発性メモリ５６は、電気的に消去・記録可能であり、例えば、ＥＥＰＲＯＭ等が用いられる。
【００４４】
以下、本実施の形態におけるカメラの操作手段の説明を行う。操作手段はシステムコントローラ５０への各種の動作指示を入力するものであり、スイッチやダイヤル、レバー等で構成される。
【００４５】
モードダイヤル６０は、撮影モードを切り替える設定を行うことができる。第１のシャッタスイッチＳＷ１（６３）は、シャッタ釦６２（図２）の半押しでオンとなり、ＡＦ（オートフォーカス）処理、ＡＥ（自動露出）処理等の動作開始を指示する。
【００４６】
また、このＳＷ１のオンで所定時間の測光タイマが起動し、この測光タイマの起動中はファインダ内表示部５４や液晶モニタ２８に測光結果より演算されたシャッタスピードや絞り値、露出レベル表示が表示される。測光タイマは、ＳＷ１のオンの継続や電子ダイヤル６５、ＡＥロック釦７３等の操作部材（操作受付手段）の操作により更新される。第２のシャッタスイッチＳＷ２（６４）は、シャッタ釦６２の全押しでオンとなり、一連の撮影処理の動作開始を指示する。
【００４７】
電源スイッチ６１は、カメラの電源をオン／オフする。電子ダイヤル６５は、撮影に関する選択、設定に使用する。電子ダイヤル６５を１クリック回転操作して、位相のずれた２ビットの信号をシステムコントローラ５０に送ることにより、回転方向と回転クリック数が検出される。
【００４８】
操作部１０１は各種釦類からなる。具体的には図３に示したＤＩＳＰ釦６６、ＭＥＮＵ釦６７、再生釦６９、消去釦７０、イージーダイレクト釦７１、測距点選択釦７２、ＡＥロック釦７３、露出補正設定釦７４がある。
【００４９】
電源制御部８０は、電池検出回路、ＤＣ−ＤＣコンバータ、通電するブロックを切り替えるスイッチ回路等により構成されている。電源制御部８０は、電源部８６の装着の有無、電池の種類、電池残量の検出を行い、検出結果及びシステムコントローラ５０の指示に基づいて内部のＤＣ−ＤＣコンバータを制御し、各部へ電力を供給する。
【００５０】
電源制御部８０と電源部８６は、ボディ側の電源部端子８２と電源側の電源部端子８４で接続される。電源部８６は、アルカリ電池やリチウム電池等の一次電池やＮｉＭＨ電池、Ｌｉ電池等の二次電池、ＡＣアダプタ等からなる。
【００５１】
メモリカードやハードディスク等の記録媒体２００とのインタフェース（Ｉ／Ｆ）９０、記録媒体２００と接続を行うボディ側記録媒体コネクタ９２がある。このインタフェース９０及びボディ側記録媒体コネクタ９２は、ＰＣＭＣＩＡカードやＣＦ（コンパクトフラッシュ(登録商標)）カード等の規格に準拠したものを用いて構成している。
【００５２】
通信部１１０は、ＵＳＢやＩＥＥＥ１３９４の通信機能を有する。コネクタ１１２は、通信部１１０によりカメラ本体１００を他の機器と接続する。
【００５３】
記録媒体２００は、メモリカードやハードディスク等である。記録媒体２００は、半導体メモリや磁気ディスク等から構成される記録部２０２、カメラ本体１００とのインタフェース（Ｉ／Ｆ）２０４、カメラ本体１００と接続を行うコネクタ２０６を備えている。
【００５４】
記録媒体２００は、記録媒体着脱検知部９８により、その着脱が検知される。通信線３９９は、後述のレンズ装置３００とカメラ本体１００側のシステムコントローラ５０との通信を行う。通信線４９９は、後述の外付けストロボ４００とカメラ本体１００側のシステムコントローラ５０との通信を行う。
【００５５】
次に、レンズ装置３００の説明をする。
【００５６】
レンズ装置３００において、撮影レンズ３０１は、被写体の光学像を内部に通過させ、撮像素子１４に結像する。フォーカス制御部３０２は、撮影レンズ３０１を光軸方向に駆動して、ピントを合わせるためのモータ及びモータ駆動回路からなる。
【００５７】
距離検出部３０３は、撮影レンズ３０１の位置情報から被写体までの距離を検出するためのエンコーダからなる。絞り３０４は、シャッタ（フォーカルプレーンシャッタ）９との組み合わせで撮影時の撮像素子１４への露光量を調整する。
【００５８】
絞り制御部３０５は、絞り３０４を駆動するモータ及びモータ駆動回路からなる。レンズ制御マイコン３０６は、フォーカス制御部３０２や絞り制御部３０５等を制御すると共に、カメラ本体１００側のシステムコントローラ５０との通信を制御する。
【００５９】
また、レンズ装置３００は、レンズマウント３１０を介して、着脱可能にカメラ本体１００に装着される。また、電気的にはシリアル通信線と電源部からなるマウント接点３１１でカメラ本体１００に接続される。
【００６０】
次に、カメラ本体１００に外付けされ、被写体に対して閃光を発する外付けストロボ（外付け閃光装置）４００の説明をする。
【００６１】
外付けストロボ４００は、Ｘｅ管４０１、反射笠４０２、Ｘｅ管４０１の発光を制御するＩＧＢＴ等で構成された発光制御回路４０３、Ｘｅ管４０１に給電する３００Ｖ程度の電圧を発生する充電回路４０４を備える。また、外付けストロボ４００は、充電回路４０４に給電する電池等の電源部４０５、外付けストロボ４００の発光、充電等を制御すると共に、カメラ本体１００側のシステムコントローラ５０との通信を制御するストロボ制御マイコン４０６を備える。
【００６２】
また、外付けストロボ４００は、アクセサリシュー４１０を介して、着脱可能にカメラ本体１００に装着される。また、電気的にはシリアル通信線とＸ端子（発光端子）からなるフラッシュ接点４１１でカメラ本体１００に接続される。
【００６３】
次に、カメラ本体１００に外付けされ、無線ＬＡＮ、有線ＬＡＮ機能を提供する無線ＬＡＮアダプタ７００の説明をする。
【００６４】
無線ＬＡＮアダプタ７００において、無線ＬＡＮモジュール７０３は、無線ＬＡＮ機能を集約したものであり、無線ＬＡＮ通信のためのアンテナ７０４が接続されている。コネクタ７０５は、有線ＬＡＮ接続のためのＥｔｈｅｒｎｅｔ(登録商標)用コネクタである。マイコン７０６は、無線ＬＡＮアダプタ７００の各モジュールを統括的に制御する。
【００６５】
カメラ本体１００と有線ＬＡＮ、無線ＬＡＮの通信はインタフェース（Ｉ／Ｆ）７０２を介して行われ、その制御はマイコン７０６によって行われる。操作部７０７は、マイコン７０６に接続されている。操作部７０７の操作内容はマイコン７０６により、インタフェース７０２、コネクタ７０１、９３を介してカメラ本体１００側へ送られる。電源部７０８は、マイコン７０６の指示により無線ＬＡＮアダプタ７００内の各部へ必要な電源を供給する。
【００６６】
図５は、図３におけるタッチパネルの検知領域を示す図である。
【００６７】
図５に示すように、タッチパネル３３は液晶モニタ２８の画面（表示面）を６行×７列に分割した４２の領域（ａ１〜ｆ７）を有し、押圧された位置が４２の領域の内のどの領域内にあるかを検知可能なように構成されている。
【００６８】
タッチパネルル３３の操作（タッチ操作）を行う場合は、液晶モニタ２８に複数の操作釦アイコンが表示されている状態で、タッチパネル３３内の対応する位置を選択的に押圧することにより操作を行う。操作釦アイコンは複数の領域の内、外周領域（第１の領域）より内側の領域（第２の領域）に配置されている。ここで外周領域とは、図５中のａの行（ａ１〜ａ７）、ｆの行（ｆ１〜ｆ７）、１の列（ａ１〜ｆ１）、７の列（ａ７〜ｆ７）である。
【００６９】
図６は、図３における液晶モニタの表示形態の例を示す図である。
【００７０】
図６において、（ａ）は、電源投入時にデフォルトで表示される撮影前情報表示であり、露出制御値や撮影に関わる各種設定が表示される。（ｂ）は、画像処理に関わる各種設定等の詳細情報を表示するＩＮＦＯ表示（撮影設定情報の表示）である。
【００７１】
図６において、（ｃ）は、カメラ全般の各種詳細設定を行う際のＭＥＮＵ表示である。（ｄ）は、記録媒体２００に記録された画像を表示する再生表示である。（ｅ）は、液晶モニタ２８が消灯している状態である。
【００７２】
以下、本実施の形態に係るデジタル一眼レフカメラの動作、表示について説明する。
【００７３】
以下に説明する一連の動作フローについては、メモリに記憶されたプログラムに基づき、システムコントローラ５０によって制御される。まず、図７に基づいてＤＩＳＰ釦６６操作時の動作フローを説明する。
【００７４】
図７は、図４の撮像装置によって実行されるＤＩＳＰ釦操作時の表示処理の手順を示すフローチャートである。
【００７５】
カメラ本体１００の電源が入っている状態でＤＩＳＰ釦６６を押下すると、図７のフローチャートが呼び出され、ステップＳ１０１よりシーケンスを開始する。
【００７６】
ステップＳ１０１では、ＤＩＳＰ釦６６の状態を確認し、ＤＩＳＰ釦６６がＯＮされていればステップＳ１０２へ進み、ＯＮされていなければ本処理を終了する。ステップＳ１０２では、液晶モニタ２８にＩＮＦＯ画面を表示中であるか否か判別する。ＩＮＦＯ画面を表示中であればステップＳ１０３へ、ＩＮＦＯ画面を表示中でなければステップＳ１０５へ進む。
【００７７】
ステップＳ１０３では、液晶モニタ２８にＭＥＮＵ画面を表示し、ステップＳ１０４へ進む。ステップＳ１０４では、タッチパネル機能を「有効」と設定し、タッチパネル３３によるメニュー操作等を可能とすると共に、誤操作防止機能を「無効」と設定して本処理を終了する。
【００７８】
ステップＳ１０５では、液晶モニタ２８にＭＥＮＵ画面を表示中であるか否か判別する。ＭＥＮＵ画面を表示中であればステップＳ１０６へ、ＭＥＮＵ画面を表示中でなければステップＳ１０８へ進む。ステップＳ１０６では、液晶モニタ２８にＩＮＦＯ画面を表示し、ステップＳ１０７へ進む。ステップＳ１０７では、タッチパネル機能を「無効」と設定し、タッチパネル３３による操作を受け付けなくすると共に、誤操作防止機能を「有効」と設定して本処理を終了する。
【００７９】
ステップＳ１０８では、液晶モニタ２８に再生画面を表示中であるか否か判別する。再生画面を表示中であればステップＳ１０９へ、撮影前情報を表示中でなければステップＳ１１２へ進む。ステップＳ１０９では、撮影前情報表示設定が「表示」であるか否か判別する。尚、この撮影前情報表示設定はカメラ電源投入時のデフォルトは「表示」に設定されており、後述のステップＳ１１３、Ｓ１１４により設定が変更されるものである。撮影前情報表示設定が「表示」であればステップＳ１１０へ、撮影前情報表示設定が「表示」でなければステップＳ１１１へ進む。
【００８０】
ステップＳ１１０では、液晶モニタ２８に撮影前情報を表示してステップＳ１０７へ進む。ステップＳ１１１では、液晶モニタ２８を消灯してステップＳ１０７へ進む。
【００８１】
ステップＳ１１２では、液晶モニタ２８に撮影前情報を表示中であるか否か判別する。撮影前情報を表示中であればステップＳ１１３へ進む。ここで撮影前情報を表示中でない状態であれば液晶モニタ２８が消灯している状態であると判断し、ステップＳ１１４へ進む。ステップＳ１１３では、撮影前情報表示設定を「非表示」と設定してステップＳ１１１に進み、更にステップＳ１０７の処理を経て本処理を終了する。
【００８２】
ステップＳ１１４では、撮影前情報表示設定を「表示」と設定してステップＳ１１０へ進み、更にステップＳ１０７の処理を経て本処理を終了する。
【００８３】
次に、図８に基づいてＭＥＮＵ釦６７操作時の動作フローを説明する。
【００８４】
図８は、図４の撮像装置によって実行されるＭＥＮＵ釦操作時の表示処理の手順を示すフローチャートである。
【００８５】
カメラ本体１００の電源が入っている状態でＭＥＮＵ釦６７を押下すると、図８のフローチャートが呼び出され、ステップＳ２０１よりシーケンスを開始する。ステップＳ２０１では、ＭＥＮＵ釦６７の状態を確認し、ＭＥＮＵ釦６７がＯＮされていればステップＳ２０２へ進み、ＯＮされていなければ本処理を終了する。
【００８６】
ステップＳ２０２では、液晶モニタ２８にＭＥＮＵ画面を表示中であるか否か判別する。ＭＥＮＵ画面を表示中であればステップＳ２０３へ、ＭＥＮＵ画面を表示中でなければステップＳ２０７へ進む。ステップＳ２０３では、撮影前情報表示設定が「表示」であるか否か判別する。撮影前情報表示設定が「表示」であればステップＳ２０４へ、撮影前情報表示設定が「表示」でなければステップＳ２０５へ進む。
【００８７】
ステップＳ２０４では、液晶モニタ２８に撮影前情報を表示してステップＳ２０６へ進む。ステップＳ２０５では、液晶モニタ２８を消灯してステップＳ２０６へ進む。ステップＳ２０６では、タッチパネル機能を「無効」と設定し、タッチパネル３３による操作を受け付けなくすると共に、誤操作防止機能を「有効」と設定して本処理を終了する。
【００８８】
ステップＳ２０７では、液晶モニタ２８にＭＥＮＵ画面を表示し、ステップＳ２０８へ進む。ステップＳ２０８では、タッチパネル機能を「有効」と設定し、タッチパネル３３によるメニュー操作等を可能とすると共に、誤操作防止機能を「無効」と設定して本処理を終了する。
【００８９】
次に、図９に基づいて再生釦６９操作時の動作フローを説明する。
【００９０】
図９は、図４の撮像装置によって実行される再生釦操作時の表示処理の手順を示すフローチャートである。
【００９１】
カメラ本体１００の電源が入っている状態で再生釦６９を押下すると、図９のフローチャートが呼び出され、ステップＳ３０１よりシーケンスを開始する。ステップＳ３０１では、再生釦６９の状態を確認し、再生釦６９がＯＮされていればステップＳ３０２へ進み、ＯＮされていなければ本処理を終了する。
【００９２】
ステップＳ３０２では、液晶モニタ２８に再生画面を表示中であるか否か判別する。再生画面を表示中であればステップＳ３０３へ、再生画面を表示中でなければステップＳ３０７へ進む。ステップＳ３０３では、撮影前情報表示設定が「表示」であるか否か判別する。撮影前情報表示設定が「表示」であればステップＳ３０４へ、撮影前情報表示設定が「表示」でなければステップＳ３０５へ進む。
【００９３】
ステップＳ３０４では、液晶モニタ２８に撮影前情報を表示してステップＳ３０６へ進む。ステップＳ３０５では、液晶モニタ２８を消灯してステップＳ３０６へ進む。ステップＳ３０６では、タッチパネル機能を「無効」と設定し、タッチパネル３３による操作を受け付けなくすると共に、誤操作防止機能を「有効」と設定して本処理を終了する。
【００９４】
ステップＳ３０７では、液晶モニタ２８に再生画面を表示し、ステップＳ３０８へ進む。ステップＳ３０８では、タッチパネル機能を「有効」と設定し、タッチパネル３３によるメニュー操作等を可能とすると共に、誤操作防止機能を「無効」と設定して本処理を終了する。
【００９５】
次に、図１０に基づいてタッチパネル３３操作時の動作フローを説明する。
【００９６】
図１０は、図４の撮像装置によって実行されるタッチパネル操作時の処理（その１）の手順を示すフローチャートである。
【００９７】
カメラ本体１００の電源が入っている状態でタッチパネル３３を触ると、図１０のフローチャートが呼び出され、ステップＳ４０１よりシーケンスを開始する。ステップＳ４０１では、タッチパネル３３の状態を確認し、タッチパネル３３が触れられていればステップＳ４０２へ進み、触れられていなければ本処理を終了する。
【００９８】
ステップＳ４０２では、タッチパネル機能の設定状態を判別する。タッチパネル機能が「有効」と設定されていればステップＳ４０３へ進み、タッチパネル機能が「有効」と設定されていなければステップＳ４０４へ進む。尚、電源投入後のデフォルト状態では、液晶モニタ２８に撮影前情報が表示されており、タッチパネル機能は「無効」と設定されている。ステップＳ４０３では、タッチパネル３３の接触検出位置（タッチ検出位置）に従ってタッチパネル操作を受け付け、本処理を終了する。
【００９９】
ステップＳ４０４では、誤操作防止機能の設定状態を判別する。誤操作防止機能が「有効」と設定されていればステップＳ４０５へ進み、誤操作防止機能が「有効」と設定されていなければ本処理を終了する。尚、電源投入後のデフォルト状態では、液晶モニタ２８に撮影前情報が表示されており、誤操作防止機能は「有効」と設定されている。
【０１００】
ステップＳ４０５では、タッチパネル３３の押圧位置がＭＥＮＵ釦６７近傍の領域ａ１内にあるか否かを判別する。接触検出位置が領域ａ１（特定の領域）内にあればステップＳ４０６に進み、接触検出位置が領域ａ１内になければステップＳ４０７に進む。
【０１０１】
ステップＳ４０６では、ＭＥＮＵ釦６７の操作を無効として、ステップＳ４０７へ進む。ステップＳ４０７では、タッチパネル３３の接触検出位置がＤＩＳＰ釦６６近傍の領域ａ２内にあるか否かを判別する。接触検出位置が領域ａ２内にあればステップＳ４０８に進み、接触検出位置が領域ａ２内になければステップＳ４０９に進む。
【０１０２】
ステップＳ４０８では、ＤＩＳＰ釦６６の操作を無効として、ステップＳ４０９へ進む。ステップＳ４０９では、タッチパネル３３の接触検出位置が露出補正設定釦７４近傍の領域ａ７もしくはｂ７内にあるか否かを判別する。接触検出位置が領域ａ７もしくはｂ７内にあればステップＳ４１０に進み、接触検出位置が領域ａ７もしくはｂ７内になければステップＳ４１１に進む。
【０１０３】
ステップＳ４１０では、露出補正設定釦７４の操作を無効として、ステップＳ４１１へ進む。ステップＳ４１１では、タッチパネル３３の接触検出位置がイージーダイレクト釦７１近傍の領域ｃ７内にあるか否かを判別する。接触検出位置が領域ｃ７内にあればステップＳ４１２に進み、接触検出位置が領域ｃ７内になければステップＳ４１３に進む。
【０１０４】
ステップＳ４１２では、イージーダイレクト釦７１の操作を無効として、ステップＳ４１３へ進む。ステップＳ４１３では、タッチパネル３３の接触検出位置が再生釦６９近傍の領域ｄ７内にあるか否かを判別する。接触検出位置が領域ｄ７内にあればステップＳ４１４に進み、接触検出位置が領域ｃ７内になければステップＳ４１５に進む。
【０１０５】
ステップＳ４１４では、再生釦６９の操作を無効として、ステップＳ４１５へ進む。ステップＳ４１５では、タッチパネル３３の接触検出位置が消去釦７０近傍の領域ｅ７もしくはｆ７内にあるか否かを判別する。接触検出位置が領域ｅ７もしくはｆ７内にあればステップＳ４１６に進み、接触検出位置が領域ｅ７もしくはｆ７内になければ本処理を終了する。ステップＳ４１６では、消去釦７０の操作を無効として、本処理を終了する。
【０１０６】
以上説明した本実施の形態の構成によれば、液晶モニタ２８にメニュー画面や再生画面が表示されている場合には、ＵＩ（ユーザインタフェース）としてタッチパネル３３による各種設定操作を受け付ける。
【０１０７】
一方、液晶モニタ２８に撮影前情報やＩＮＦＯ画面を表示している場合、または液晶モニタ２８が消灯している場合はタッチパネル３３による各種設定操作は受け付けず、タッチパネル３３は、近傍の釦の誤操作防止センサとして機能する。
【０１０８】
本実施の形態においては、液晶モニタ２８に撮影前情報を表示中に、顔等の物体がファインダ接眼窓５０９に近接するとディスプレイオフセンサ１０によって、液晶モニタ２８の表示を消灯するように構成されている。このため、この場合もタッチパネル３３による各種設定操作は受け付けず、タッチパネル３３は、近傍の釦の誤操作防止センサとして機能することとなる。
【０１０９】
一般に、液晶モニタ２８にメニュー画面や再生画面が表示されている状態では、ユーザが画面を注視している状況が多く、不用意に操作釦を押す可能性が低い。一方、液晶モニタ２８に撮影前情報やＩＮＦＯ画面を表示している場合、または液晶モニタ２８が消灯している場合はユーザがカメラを構えてアイピース５からファインダを注視している状況や、カメラのストラップを首や肩にかけて持ち運んでいる状況が多い。こういう状況では、操作釦を不用意に押す危険性がある。
【０１１０】
また、メニュー画面や再生画面では多様な設定を分かりやすく操作できるＵＩとしてタッチパネルによる操作が有用である。一方、撮影前情報はユーザが撮影動作中に表示される表示であり、そこでの操作は直感的で即時性があり手探りによる操作が可能なことが求められ、ダイヤルや釦等のユーザが操作可能な操作部材で直接操作するほうが適している。また、ＩＮＦＯ表示は確認のためのみの表示であり、ここで画面の情報を参照して操作する項目はない。また、液晶モニタ２８が消灯している場合は、当然ＵＩによるタッチパネル操作は不可能である。
【０１１１】
本実施の形態では、上記のような各画面が表示されている際のカメラの状況を考慮し、画面の表示状態に応じ、タッチパネル３３の機能を最適に切り換えるようにする。このような構成とすることで、別途誤操作防止のための検知手段を追加することなく、不用意押しによる操作釦の誤操作を防ぐことが可能となる。
【０１１２】
尚、本実施の形態におけるタッチパネル３３の方式としては、マトリクス型抵抗膜方式、超音波表面弾性波方式、赤外線走査方式、アナログ容量結合方式、アナログ抵抗膜方式等、接触検出ポイントが認識できるものであれば任意の方式を用いることができる。
【０１１３】
［第２の実施の形態］
次に、本発明の第２の実施の形態に係るデジタル一眼レフカメラについて説明する。
【０１１４】
本実施の形態のカメラのタッチパネル３３は公知のマトリクス型抵抗膜方式を用いている。マトリクス型抵抗膜方式タッチパネルは、透明導電膜が設けられた素材を透明導電膜間が上下に向い合う方向に貼り合わせ、指で押した時に透明導電膜同士が接触するように構成されている。
【０１１５】
上側の透明導電膜はＸ方向に、下側の透明導電幕はＹ方向に短冊状の透明導電膜を形成し、互いに直交するように構成している。透明導電膜同士が接触した時、そのＸ座標、Ｙ座標により接触検出された位置を検出する。この方式のタッチパネル３３は接触検出位置を複数領域同時に検出可能である。
【０１１６】
本実施の形態のカメラのタッチパネル３３は、図５の検知領域内を６行×７列に分割した４２の領域（ａ１〜ｆ７）の各々において、それぞれ触れられているか否か検知可能なように構成されている。つまり、タッチパネル３３の複数ポイントを同時に接触検出した場合や複数領域に亘って面状に接触検出した場合も、押圧されている領域の範囲を判別可能な構成となっている。
【０１１７】
本実施の形態のカメラのその他の外観、電気的な構成を示すブロック図については、図１〜図４について第１の実施の形態で説明したものと同様である。
【０１１８】
以下に、図１１に基づいて本実施の形態のタッチパネル３３操作時の動作フローを説明する。
【０１１９】
図１１は、図４の撮像装置によって実行されるタッチパネル操作時の処理（その２）の手順を示すフローチャートである。
【０１２０】
カメラ本体１００の電源が入っている状態でタッチパネル３３を触ると、図１１のフローチャートが呼び出され、ステップＳ５０１よりシーケンスを開始する。ステップＳ５０１では、タッチパネル３３の状態を確認し、タッチパネル３３が触れられていればステップＳ５０３へ進み、ＯＮされていなければ本処理を終了する。
【０１２１】
ステップＳ５０３では、タッチパネル操作判別処理を実施してステップＳ５０４に進む。タッチパネル操作判別処理の詳細については後述する。ステップＳ５０４では、誤操作防止機能の設定状態を判別する。誤操作防止機能が「有効」と設定されていればステップＳ５０５へ進み、誤操作防止機能が「有効」と設定されていなければ本処理を終了する。ステップＳ５０５以降の処理は、図１０のステップＳ４０５以降の処理と同様であるので説明を省略する。
【０１２２】
次に、タッチパネル操作判別処理の詳細を図１２に基づいて説明する。
【０１２３】
図１２は、図１１のステップＳ５０３で実行されるタッチパネル操作判別処理（その１）の手順を示すフローチャートである。
【０１２４】
図１１のステップＳ５０３により本サブルーチンが呼び出されると、ステップＳ６０１より処理を開始する。ステップＳ６０１では、タッチパネル３３の接触検出領域が外周領域を含むか否か判別する。ここで外周領域とは図５中のａの行（ａ１〜ａ７）、ｆの行（ｆ１〜ｆ７）、１の列（ａ１〜ｆ１）、７の列（ａ７〜ｆ７）である。タッチパネル３３の接触検出領域が外周領域を含んでいればステップＳ６０２へ進み、タッチパネル３３の接触検出領域が外周領域を含んでいなければステップＳ６０３へ進む。
【０１２５】
ステップＳ６０２では、タッチパネル機能を「無効」と設定し、タッチパネル３３による操作を受け付けなくすると共に、誤操作防止機能を「有効」と設定して本処理を終了する。ステップＳ６０３では、タッチパネル機能を「有効」と設定し、タッチパネル３３によるメニュー操作等を可能とすると共に、誤操作防止機能を「無効」と設定する。ステップＳ６０４では、タッチパネル３３の接触検出位置に従ってタッチパネル操作を受け付け、本処理を終了する。
【０１２６】
以上説明した本実施の形態の構成によれば、タッチパネル３３の外周領域が触れられている場合は、タッチパネル３３による各種設定操作は受け付けず、タッチパネル３３は近傍の釦の誤操作防止センサとして機能する。
【０１２７】
タッチパネル３３の外周領域に対応する位置には操作釦アイコンは表示されていない。よって、タッチパネル３３の外周領域が触れられている状況というのは、タッチパネル操作中であるなしにかかわらずユーザが意図しない領域が触れられている可能性が高い。このような状況では、タッチパネル３３の触れられている領域近傍の操作釦も不意に押してしまっている可能性が高い。
【０１２８】
本実施の形態によれば、タッチパネル３３の接触検出位置情報から、上記のような操作釦の誤操作の高い状況を判断して、適切に操作釦の誤操作を防ぐことが可能である。
【０１２９】
［第３の実施の形態］
次に、本発明の第３の実施の形態に係るデジタル一眼レフカメラのタッチパネル操作判別処理の詳細を図１３に基づいて説明する。
【０１３０】
図１３は、図１１のステップＳ５０３で実行されるタッチパネル操作判別処理（その２）の手順を示すフローチャートである。
【０１３１】
図１１のステップＳ５０３により本サブルーチンが呼び出されると、ステップＳ７０１より処理を開始する。ステップＳ７０１では、タッチパネル３３の縦方向または横方向に連続して所定数以上の領域が触れられている箇所があるか否か判別する。本実施の形態では、その所定数の値を３とし、縦方向または横方向に連続する３領域以上が触れられている箇所があればステップＳ７０２へ進み、縦方向または横方向に連続する３領域以上が触れられている箇所がなければステップＳ７０３へ進む。
【０１３２】
ステップＳ７０２では、タッチパネル機能を「無効」と設定し、タッチパネル３３による操作を受け付けなくすると共に、誤操作防止機能を「有効」と設定して本処理を終了する。ステップＳ７０３では、タッチパネル機能を「有効」と設定し、タッチパネル３３によるメニュー操作等を可能とすると共に、誤操作防止機能を「無効」と設定する。ステップＳ７０４では、タッチパネル３３の接触検出位置に従ってタッチパネル操作を受け付け、本処理を終了する。
【０１３３】
本実施の形態のその他の構成については第２の実施の形態と同様である。
【０１３４】
以上説明した本実施の形態の構成によれば、縦方向または横方向に連続する３領域以上が触れられている場合は、タッチパネル３３による各種設定操作は受け付けず、タッチパネル３３は近傍の釦の誤操作防止センサとして機能する。
【０１３５】
タッチパネル３３の操作を行う場合は、タッチパネル３３内の１箇所を選択的に触れて操作する。よって、連続する複数領域が触れられている状況というのは、タッチパネル操作中であるなしにかかわらずユーザが意図しない領域が触れられている可能性が高い。このような状況では、タッチパネル３３の触れられている領域近傍の操作釦も不意に押してしまっている可能性が高い。
【０１３６】
本実施の形態によれば、タッチパネル３３の接触検出位置情報から、上記のような操作釦の誤操作の高い状況を判断して、適切に操作釦の誤操作を防ぐことが可能である。
【０１３７】
［第４の実施の形態］
次に、本発明の第４の実施の形態に係るデジタル一眼レフカメラのタッチパネル操作判別処理の詳細を図１４に基づいて説明する。
【０１３８】
図１４は、図１１のステップＳ５０３で実行されるタッチパネル操作判別処理（その３）の手順を示すフローチャートである。
【０１３９】
図１１のステップＳ５０３により本サブルーチンが呼び出されると、ステップＳ８０１より処理を開始する。ステップＳ８０１では、タッチパネル３３の隣接しない複数領域が触れられているか否か判別する。隣接しない複数領域が触れられていればステップＳ８０２へ進み、隣接しない複数領域が触れられていなければステップＳ８０３へ進む。
【０１４０】
ステップＳ８０２では、タッチパネル機能を「無効」と設定し、タッチパネル３３による操作を受け付けなくすると共に、誤操作防止機能を「有効」と設定して本処理を終了する。ステップＳ８０３では、タッチパネル機能を「有効」と設定し、タッチパネル３３によるメニュー操作等を可能とすると共に、誤操作防止機能を「無効」と設定する。ステップＳ８０４では、タッチパネル３３の接触検出位置に従ってタッチパネル操作を受け付け、本処理を終了する。
【０１４１】
本実施の形態のその他の構成については第２の実施の形態と同様である。
【０１４２】
以上説明した本実施の形態の構成によれば、タッチパネル３３の隣接しない複数領域が触れられている場合は、タッチパネル３３による各種設定操作は受け付けず、タッチパネル３３は近傍の釦の誤操作防止センサとして機能する。
【０１４３】
タッチパネル３３の操作を行う場合は、タッチパネル内の１箇所を選択的に触れて操作する。よって、隣接しない複数領域が触れられている状況というのは、タッチパネル操作中であるなしにかかわらずユーザが意図しない領域が触れられている可能性が高い。このような状況では、タッチパネル３３の触れられている領域近傍の操作釦も不意に押してしまっている可能性が高い。
【０１４４】
本実施の形態によれば、タッチパネル３３の接触検出位置情報から、上記のような操作釦の誤操作の高い状況を判断して、適切に操作釦の誤操作を防ぐことが可能である。
【０１４５】
［第５の実施の形態］
第２の実施の形態から第４の実施の形態ではそれぞれ、条件（１）接触検出領域が外周領域を含むか否か、条件（２）縦方向または横方向に連続する所定数以上の領域が触れられているか否か、条件（３）隣接しない複数領域が触れられているか否か、の条件の判別処理により、タッチパネル３３の機能を制御する構成を説明した。
【０１４６】
一方、上記３つの条件の内の複数の条件の論理演算の組み合わせを使用して判別処理を行うことも可能である。以下、本発明の第５の実施の形態に係るデジタル一眼レフカメラのタッチパネル操作判別処理の詳細を図１５に基づいて説明する。
【０１４７】
図１５は、図１１のステップＳ５０３で実行されるタッチパネル操作判別処理（その４）の手順を示すフローチャートである。
【０１４８】
図１１のステップＳ５０３により本サブルーチンが呼び出されると、ステップＳ９０１より処理を開始する。ステップＳ９０１では、タッチパネル３３の接触検出領域が外周領域を含むか否か判別する。ここで外周領域とは図５中のａの行（ａ１〜ａ７）、ｆの行（ｆ１〜ｆ７）、１の列（ａ１〜ｆ１）、７の列（ａ７〜ｆ７）である。タッチパネル３３の接触検出領域が外周領域を含んでいればステップＳ９０２へ進み、タッチパネル３３の接触検出領域が外周領域を含んでいなければステップＳ９０５へ進む。
【０１４９】
ステップＳ９０２では、タッチパネル３３の縦方向または横方向に連続して所定数以上の領域が触れられている箇所があるか否か判別する。本実施の形態ではその所定数の値を３とし、縦方向または横方向に連続する３領域以上が触れられている箇所があればステップＳ９０４へ進み、縦方向または横方向に連続する３領域以上が触れられている箇所がなければステップＳ９０３へ進む。ステップＳ９０３では、タッチパネル３３の隣接しない複数領域が触れられているか否か判別する。隣接しない複数領域が触れられていればステップＳ９０４へ進み、隣接しない複数領域が触れられていなければステップＳ９０５へ進む。
【０１５０】
ステップＳ９０４では、タッチパネル機能を「無効」と設定し、タッチパネル３３による操作を受け付けなくすると共に、誤操作防止機能を「有効」と設定して本処理を終了する。ステップＳ９０５では、タッチパネル機能を「有効」と設定し、タッチパネル３３によるメニュー操作等を可能とすると共に、誤操作防止機能を「無効」と設定して本処理を終了する。
【０１５１】
ステップＳ９０６では、タッチパネル３３の接触検出位置に従ってタッチパネル操作を受け付け、本処理を終了する。
【０１５２】
以上説明した本実施の形態の構成によれば、タッチパネル３３の外周領域が触れられており、かつ連続する３領域以上が触れられているかまたは隣接しない複数領域が触れられている場合は、タッチパネル３３による各種設定操作は受け付けない。そして、タッチパネル３３は近傍の釦の誤操作防止センサとして機能する。
【０１５３】
本実施の形態によれば、タッチパネル３３の接触検出位置情報から、上記のような操作釦の誤操作の高い状況を判断して、適切に操作釦の誤操作を防ぐことが可能である。
【０１５４】
上記第２の実施の形態から第５の実施の形態で説明した、タッチパネル３３の外周部の定義や連続する複数領域の判定条件等については、カメラのレイアウトや画面サイズ、タッチパネルの分解能等の構成の特性に合わせて適宜設定して適用できる。
【０１５５】
尚、上記第２の実施の形態から第５の実施の形態におけるタッチパネル３３としては、マトリクス型抵抗膜方式を例に説明した。しかし、複数ポイントを同時に触れた場合や面状に触れた場合の触れられている領域を判別可能な構成であれば、光学検知方式等、任意の構成をとることができる。
【０１５６】
以上、本発明について実施の形態に基づいて説明したが、本発明は、これらの実施の形態に限定されるものではなく、この発明の要旨を逸脱しない範囲の様々な形態も本発明に含まれる。
【０１５７】
例えば、上記の実施の形態の機能を制御方法として、この制御方法を表示制御装置に実行させるようにすればよい。また、上述の実施の形態の機能を有するプログラムを表示制御装置が備えるコンピュータに実行させるようにしてもよい。なお、このプログラムは、例えば、コンピュータに読み取り可能な記録媒体に記録される。
【０１５８】
また、本発明は、以下の処理を実行することによっても実現される。つまり、上述した実施形態の機能を実現するソフトウェア（プログラム）を、ネットワーク又は各種の記録媒体を介してシステム或いは装置に供給し、そのシステム或いは装置のコンピュータ（またはＣＰＵやＭＰＵなど）がプログラムを読み出して実行する処理である。
【符号の説明】
【０１５９】
２８  液晶モニタ
３３  タッチパネル
５０  システムコントローラ
６２  シャッタ釦
６５  電子ダイヤル
６６  ＤＩＳＰ釦
６７  ＭＥＮＵ釦
６９  再生釦
７０  消去釦
７１  イージーダイレクト釦
【図３】
0005372218.tif 000002
【図４】
0005372218.tif 000003
【図５】
0005372218.tif 000004
【図７】
0005372218.tif 000005
【図８】
0005372218.tif 000006
【図９】
0005372218.tif 000007
【図１０】
0005372218.tif 000008
【図１１】
0005372218.tif 000009
【図１２】
0005372218.tif 000010
【図１３】
0005372218.tif 000011
【図１４】
0005372218.tif 000012
【図１５】
0005372218.tif 000013
【図１】
0005372218.tif 000014
【図２】
0005372218.tif 000015
【図６】
0005372218.tif 000016